(57)【特許請求の範囲】
【請求項１】
薬物モニタリングツールであって、
患者の薬物動態学的（ＰＫ）プロファイルをセキュアサーバから受信するように構成されているデータ受信機であり、前記セキュアサーバが、
（Ｉ）サンプリングされた患者の薬物動態学的（ＰＫ）プロファイルのベイズモデルであり、（ｉ）治療的血漿タンパク質のクリアランス、及び（ｉｉ）患者の年齢又は体重のうちの少なくとも１つに基づく治療的血漿タンパク質についての分布容積関連性、を含むベイズモデルと、
（ＩＩ）前記ベイズモデルと、前記患者の体重、フォン・ウィルブランド因子レベル、及び年齢のうちの少なくとも１つとに基づく前記患者のＰＫプロファイルを決定するように構成されているＰＫサーバと、
を備える、データ受信機と、
対話的なユーザインターフェースであり、
前記患者の時間変化する治療的血漿タンパク質レベルを予測する図形表示を前記患者に表示することであって、当該薬物モニタリングツールによって決定される前記時間変化する治療的血漿タンパク質レベルが、凝固因子ＶＩＩＩの前記患者への投与された用量及び前記患者の前記ＰＫプロファイルに基づいている、表示することと、
前記時間変化する治療的血漿タンパク質レベルに関連付けられた前記図形表示内に複数のゾーンの輪郭を描くことであって、前記複数のゾーンが、少なくとも、
前記時間変化する治療的血漿タンパク質レベルが、身体的活動について安全と考えられる第１の濃度範囲内にあることを前記患者に示す安全ゾーンと、
前記時間変化する治療的血漿タンパク質レベルが第２の濃度範囲内にあり、身体的活動が限定されるべきであることを前記患者に示す危険ゾーンと、
を含む、描くことと、
を行うように構成されている対話的なユーザインターフェースと、
を備える、薬物モニタリングツール。
【請求項２】
前記データ受信機が、少なくともＰＫプロファイル情報を含む患者情報を記憶するキューアール（ＱＲ）コードをスキャンするように構成されているカメラであり、
前記薬物モニタリングツールが、前記患者のＰＫプロファイルを抽出するとともに処理するように構成されているＱＲコードプロセッサをさらに備える、請求項１に記載の薬物モニタリングツール。
【請求項３】
ＡＥＳ−２５６暗号化を使用して暗号ブロック連鎖（ＣＢＣ）及び公開鍵暗号標準（ＰＫＣＳ）パディングで暗号化された患者情報を有する前記ＱＲコードを生成するように構成されているＱＲコード生成器をさらに備える、請求項２に記載の薬物モニタリングツール。
【請求項４】
前記ＱＲコード生成器が、前記薬物モニタリングツールから離れた前記セキュアサーバに配置される、請求項３に記載の薬物モニタリングツール。
【請求項５】
前記患者の前記ＰＫプロファイル及び最初の予防的な注射のログを受信した後にのみ前記薬物モニタリングツールが前記時間変化する治療的血漿タンパク質レベルを予測する前記図形表示を提示できるようにするアクティブ化ツールキットをさらに備える、請求項１に記載の薬物モニタリングツール。
【請求項６】
前記対話的なユーザインターフェースが、特定の時間における前記患者内の前記時間変化する治療的血漿タンパク質レベルについての要求に対応する患者の入力を受信するように構成されている図的な制御要素を含み、前記対話的なユーザインターフェースが、前記特定の時間における前記患者内の前記時間変化する治療的血漿タンパク質レベルの前記図形表示を表示するように構成されている、請求項１に記載の薬物モニタリングツール。
【請求項７】
前記図的な制御要素が前記複数のゾーン間でスライド可能である、請求項６に記載の薬物モニタリングツール。
【請求項８】
前記図形表示が、前記時間変化する治療的血漿タンパク質レベルが前記危険ゾーンに到達するまでの推定された時間の長さを提示する、請求項１に記載の薬物モニタリングツール。
【請求項９】
リモートサーバシステムと、薬物モニタリングツールと、を備える薬物モニタリングシステムであって、
前記リモートサーバシステムは、
サンプリングされた患者の薬物動態学的（ＰＫ）プロファイルのベイズモデルであり、
前記ベイズモデルが（ｉ）治療的血漿タンパク質のクリアランス、及び（ｉｉ）患者の年齢又は体重のうちの少なくとも１つに基づく治療的血漿タンパク質についての分布容積関連性、を含む、ベイズモデルと、
ＰＫサーバであり、
前記ベイズモデルと、患者の体重、フォン・ウィルブランド因子レベル、及び年齢のうちの少なくとも１つとに基づく患者のＰＫプロファイルを決定すること
を行う、ＰＫサーバと、
前記患者のＰＫプロファイルを記憶するＱＲコードを生成するＱＲコード生成器と、
を含み、
前記薬物モニタリングツールは、
前記ＱＲコードを読むカメラと、
前記ＱＲコードから前記患者のＰＫプロファイルを抽出するコードプロセッサと、
凝固因子ＶＩＩＩの前記患者への投与された用量及び前記患者の前記ＰＫプロファイルに基づく、前記薬物モニタリングシステムによって決定された前記患者の時間変化する治療的血漿タンパク質レベルの図形表示を表示するように構成されている対話的なユーザインターフェースであり、前記図形表示が、前記時間変化する治療的血漿タンパク質レベルに関連付けられた前記図形表示内に複数のゾーンの輪郭を描き、前記複数のゾーンが、少なくとも、
前記時間変化する治療的血漿タンパク質レベルが、身体的活動について安全と考えられる第１の濃度範囲内にあることを前記患者に示す安全ゾーンと、
前記時間変化する治療的血漿タンパク質レベルが第２の濃度範囲内にあり、身体的活動が限定されるべきであることを前記患者に示す危険ゾーンと、
を含む、対話的なユーザインターフェースと、
を含む、薬物モニタリングシステム。
【請求項１０】
前記ＱＲコード生成器が、スキームバージョン、クリニックの患者ＩＤ、体重、アルファ、ベータ、Ｋ２１、Ｖ１、持続時間、投与間隔、ＦＶＩＩＩベースライン、目標値、時間の上回り、時間の下回り、及びタイムスタンプからなる群から各々独立に選択される複数のフィールドを使用して前記ＱＲコードを生成する、請求項９に記載の薬物モニタリングシステム。
【請求項１１】
前記ＱＲコード生成器が複数のフィールドを使用して前記ＱＲコードを生成し、各フィールドがＵＴＦ８を使用してエンコードされている、請求項９に記載の薬物モニタリングシステム。
【請求項１２】
前記図形表示が、前記時間変化する治療的血漿タンパク質レベルが前記危険ゾーンに到達するまでの推定された時間の長さを提示する、請求項９に記載の薬物モニタリングシステム。
【発明の詳細な説明】
【関連出願】
【０００１】
[0001]本出願は２０１７年１月２７日に提出された米国特許仮出願第６２／４５１，３９１の利益を主張するものである。上記出願の教示全体が参照によって本明細書に組み込まれる。
【背景】
【０００２】
[0002]凝固因子ＶＩＩＩは傷害又は出血に応答して活性化される血液凝固タンパク質である。凝固因子ＶＩＩＩが相対的に低いレベルである人は、傷害及び／又は原因のない自発性の出血による、長引く出血を内部的又は外部的に発症しやすい。皮膚の出血は深刻ではないが、関節、筋肉、及び内臓の内出血は恒久的な損傷、美的欠陥、又はさらには死を引き起こすことがある。
【０００３】
[0003]血友病Ａの患者は低いレベルの凝固因子ＶＩＩＩを引き起こす遺伝的な欠陥を有している。患者の凝固因子ＶＩＩＩの量は、正常レベルに対する相対パーセントで表される。凝固因子ＶＩＩＩが５〜４０％の患者は、軽症型の血友病Ａを有すると考えられる一方、凝固因子ＶＩＩＩが１〜５％の患者は、中等型の血友病Ａを有すると考えられる。凝固因子ＶＩＩＩが１％未満の患者は、重症型の血友病Ａを有すると考えられる。
【０００４】
[0004]血友病Ａの患者（又は、処置をしないと凝固因子ＶＩＩＩの低いレベルを有する患者）の処置としては、これらの患者に凝固因子濃縮物（例えば、治療的血漿タンパク質）の定期的な注射を行うことが挙げられる。凝固因子濃縮物は、患者の自然発生の凝固因子ＶＩＩＩに対する代替物、又は補充物として作用する。そのような治療的血漿タンパク質の一例が、Ｓｈｉｒｅ製ＡＤＶＡＴＥ薬物である。いくつかの例において、患者は制御できない内出血の発生に応答して治療的血漿タンパク質を受ける。代替的に、患者は将来的な出血の可能性を低減するために治療的血漿タンパク質の予防的処置レジメンを処方されることもある。患者が所定の閾値を下回るあらゆる可能性を回避するために、多くのヘルスケア事業者は、患者が毎日、２日毎、３日毎、又はより長い日数毎に治療的血漿タンパク質注射を受けることを要する処置レジメンを設計している。現在、患者には注射イベントを記録するための電子的日記が与えられている。残念ながら、そのような日記はそれを見て患者が活動レベルを計画できるような利用可能なデータを与えるものではない。例えば、現在のシステムでは、患者が注射イベントの後のあらゆる時間的なポイントにおいて、例えばサッカーをするなどの活動に参加することになっている場合、患者は出血のリスクを確認することができない。特に、現在の電子的日記では、患者は予防的な注射イベントの後の時間的にあらゆる所与のポイントにおける自身の因子レベルを判断することができず、そのようなソースによって提供される情報の有用性を著しく制限する。
【概要】
【０００５】
[0005]本開示の実施形態は、予防的な注射イベントに続いて、患者が個別化された、凝固因子ＶＩＩＩレベルのリアルタイム指標を見ることができるようにする薬物モニタリングツールを提供する。開示される薬物モニタリングツールは、患者が出血イベントを著しく低減できるようにすることが有利である。例えば、薬物モニタリングツールによって提供される凝固因子ＶＩＩＩのリアルタイム指標は、患者が時間的にあらゆる所与のポイントにおける身体的活動の量及び／又は強度に関連するインフォームド決定を行えるようにする。薬物モニタリングツールが低いレベルの凝固因子ＶＩＩＩの指標を与える一例において、患者はスポーツのような身体的に傷害を起こすような活動に参加することを控えること、身体的に傷害を起こすような活動に参加するために凝固因子ＶＩＩＩの非予防的な用量を自己投与することを決定すること、又は次の予防的な注射まで出血のリスクが低い活動を選択すること（例えば、読書などの静的な活動）ができる。したがって、薬物モニタリングツールは利用可能な情報の欠如に起因する患者の出血イベントを除去することが有利である。
【０００６】
[0006]一実施形態において、薬物モニタリングツールは患者の薬物動態学的（ＰＫ）プロファイルを受信するように構成されているデータ受信機を備える。ツールは、患者内の時間変化する薬物濃度レベルを患者に提示するように構成されている対話的なユーザインターフェースも備える。時間変化する薬物濃度レベルは対象薬物の投与された用量及び患者のＰＫプロファイルに基づいている。
【０００７】
[0007]別の実施形態において、薬物モニタリングツールが開示される。ツールは患者の薬物動態学的（ＰＫ）プロファイルを受信するように構成されているデータ受信機を備える。加えて、ツールは、患者の時間変化する治療的血漿タンパク質レベルを患者に表示するように構成されている対話的なユーザインターフェースを備える。時間変化する治療的血漿タンパク質レベルは凝固因子ＶＩＩＩの投与された用量及び患者のＰＫプロファイルに基づいている。
【０００８】
[0008]ある実施形態の一態様において、患者のＰＫプロファイルはサンプリングされた患者のＰＫプロファイルのベイズモデルに基づいており、且つ、患者の体重、フォン・ウィルブランド因子（「ｖＷＦ」）レベル、及び／又は年齢のうちの少なくとも１つに基づくことができる。
【０００９】
[0009]別の態様において、データ受信機は少なくともＰＫプロファイル情報を含む患者情報を記憶するキューアール（ＱＲ）コードをスキャンするように構成されているカメラであってもよい。追加的に、薬物モニタリングツールはＱＲコード（登録商標）に記憶された患者情報を抽出するとともに処理するように構成されているＱＲコードプロセッサをさらに備えることができる。
【００１０】
[0010]いくつかの態様において、データ受信機はセキュアサーバからＰＫプロファイルを受信するように構成されている通信インターフェースであってもよい。この態様において、受信されたＰＫプロファイルは暗号化されてもよく、通信インターフェースは暗号化されたＰＫプロファイルを復号化するようにさらに構成することができる。
【００１１】
[0011]他の例示的な実施形態において、薬物モニタリングツールはＡＥＳ−２５６暗号化を使用して暗号ブロック連鎖（ＣＢＣ）及び公開鍵暗号標準（ＰＫＣＳ）パディングで暗号化された患者情報を有するＱＲコードを生成するように構成されているＱＲコード生成器をさらに備えることができる。ＱＲコード生成器は薬物モニタリングツールから離れたセキュアサーバに配置されてもよい。
【００１２】
[0012]ＱＲコードは、患者特定情報、患者生理学的データ、患者投与情報、及び／又は患者のＰＫプロファイル情報、のうちの少なくとも１つ、又はそのあらゆる組み合わせを含むことができる。患者投与情報は特定の凝固因子ＶＩＩＩ薬物についての予防的投与レジメンを含むことができる。
【００１３】
[0013]別の態様において、薬物モニタリングツールは、前記患者のＰＫプロファイルを受信すること、及び／又は凝固因子ＶＩＩＩの最初の予防的な注射のログを受信すること、のうちの少なくとも１つに応答して薬物モニタリングツールの機能群にアクセスできるように構成されているアクティブ化ツールキットをさらに備えることができる。
【００１４】
[0014]他の態様において、対話的なユーザインターフェースは、あらゆる所与の時間における患者内の治療的血漿タンパク質の時間変化量の図形表示を表示するように構成することができる。図形表示は、治療的血漿タンパク質の時間変化量に関連付けられるゾーンの輪郭を描くことができる。
それぞれのゾーンは、患者内の治療的血漿タンパク質の時間変化量の特定の濃度範囲に関連付けられ得る。
【００１５】
[0015]対話的なユーザインターフェースは、特定の時間における患者内の治療的血漿タンパク質の時間変化量についての要求に対応する患者の入力を受信するように構成されている図的な制御要素も含むことができる。対話的なユーザインターフェースは特定の時間における患者内の治療的血漿タンパク質の時間変化量の図形表示を表示するようにさらに構成することができる。
【００１６】
[0016]さらなる実施形態は、薬物モニタリングツールによって実行される薬物モニタリングする方法を含む。方法は、患者の薬物動態学的（ＰＫ）プロファイルを受信することを含む。加えて、方法は、対話的なユーザインターフェースが患者の時間変化する治療的血漿タンパク質レベルを患者に表示できるようにすることを含む。時間変化する治療的血漿タンパク質レベルは凝固因子ＶＩＩＩの投与された用量及び患者のＰＫプロファイルに基づいている。
【００１７】
[0017]ある実施形態の一態様において、患者のＰＫプロファイルはサンプリングされた患者のＰＫプロファイルのベイズモデルに基づいており、且つ、患者の体重、フォン・ウィルブランド因子（「ｖＷＦ」）レベル、及び／又は年齢のうちの少なくとも１つに基づくことができる。
【００１８】
[0018]別の態様において、方法は少なくともＰＫプロファイル情報を含む患者情報を記憶するキューアール（ＱＲ）コードをスキャンすることを含むことができる。加えて、方法はＱＲコード内に記憶された患者情報を抽出すること、及び処理することを含むことができる。
【００１９】
[0019]他の態様において、方法はセキュアサーバからＰＫプロファイルを受信することを含むことができる。受信されたＰＫプロファイルは暗号化されてもよい。したがって、方法は暗号化されたＰＫプロファイルを復号化することを含むこともできる。
【００２０】
[0020]さらなる態様において、方法はＡＥＳ−２５６暗号化を使用して暗号ブロック連鎖（ＣＢＣ）及び公開鍵暗号標準（ＰＫＣＳ）パディングで暗号化された患者情報を有するためにＱＲコードを生成することを含むことができる。
【００２１】
[0021]特定の態様において、ＱＲコードは、患者特定情報、患者生理学的データ、患者投与情報、及び／又は患者のＰＫプロファイル情報、のうちの少なくとも１つ、又はそのあらゆる組み合わせを含む。患者投与情報は特定の凝固因子ＶＩＩＩ薬物についての予防的投与レジメンを含むことができる。
【００２２】
[0022]また、方法は、患者が、患者のＰＫプロファイルを受信すること、及び／又は最初の予防的な注射のログを受信すること、のうちの少なくともに応答して薬物モニタリングツールの機能群にアクセスできるようにすることを含むことができる。
【００２３】
[0023]さらなる態様において、方法はあらゆる所与の時間における患者内の治療的血漿タンパク質の時間変化量の図形表示を表示することを含むことができる。図形表示は、治療的血漿タンパク質の時間変化量に関連付けられるゾーンの輪郭を描く。それぞれのゾーンは、患者内の治療的血漿タンパク質の時間変化量の特定の濃度範囲に関連付けられる。
【００２４】
[0024]本開示の別の実施形態は薬物モニタリングシステムを含む。薬物モニタリングシステムは治療的血漿タンパク質投与レジメン装置及び薬物モニタリングツールを備える。
【００２５】
[0025]治療的血漿タンパク質投与レジメン装置は、サンプリングされた患者の薬物動態学的（ＰＫ）プロファイルのベイズモデルを作成するように構成されているモデル生成器を備える。ベイズモデルは（ｉ）治療的血漿タンパク質のクリアランス、及び（ｉｉ）患者の年齢又は体重のうちの少なくとも１つに基づく治療的血漿タンパク質についての分布容積関連性、を含む。治療的血漿タンパク質投与レジメン装置は、ＰＫサーバも備える。ＰＫサーバは、ベイズモデル、患者内の治療的血漿タンパク質の半減期、及び患者の年齢又は患者の体重のうちの少なくとも１つに基づいて患者の近似のＰＫプロファイルを決定するように構成されている。ＰＫサーバは、患者の近似のＰＫプロファイルに基づいてある時間期間を通しての用量及び治療的血漿タンパク質レベルを含む治療的血漿タンパク質投与レジメンを決定すること、患者に用量を適用するための投与間隔を受信することに応答して治療的血漿タンパク質投与レジメンを修正すること、及び修正された治療的血漿タンパク質投与レジメンをクライアントデバイスに送信すること、を行うようにも構成されている。
【００２６】
[0026]薬物モニタリングツールは、患者の薬物動態学的（ＰＫ）プロファイルを受信するように構成されているデータ受信機を備える。加えて、薬物モニタリングツールは、患者の時間変化する治療的血漿タンパク質レベルを患者に表示するように構成されている対話的なユーザインターフェースを備える。時間変化する治療的血漿タンパク質レベルは、凝固因子ＶＩＩＩの投与された用量及び患者のＰＫプロファイルに基づいている。
【図面の簡単な説明】
【００２７】
[0027]前述は、異なる図面を通じて同一の参照符号が同一のパーツを指す添付の図面に図示されるように、以下の本開示の例示的な実施形態のより詳細な説明から、明らかとなろう。図面は必ずしも縮尺通りではなく、代わりに本開示の実施形態を図示する際には強調されたものが配置される。
【００２８】
【図１】[0028]本開示の例示的な実施形態による、薬物モニタリングツールが動作する例示的な薬物動態学的（ＰＫ）環境を示す。
【００２９】
【図２】[0029]本開示の例示的な実施形態による、特定の患者のＰＫプロファイルを生成するための方法の流れ図である。
【００３０】
【図３】[0030]本開示の例示的な実施形態による、ＰＫプロファイルをＱＲコードに変換するための方法の流れ図である。
【００３１】
【図４】[0031]本開示の例示的な実施形態による、薬物モニタリングツールの対話的なユーザインターフェースを示す。
【００３２】
【図５】[0032]本開示の例示的な実施形態による、例示的なリモートサーバ、薬物モニタリングツール、及びエコシステムモニタリングシステムの詳細なブロック図である。
【詳細な説明】
【００３３】
[0033]本開示の例示的な実施形態の説明は以下のとおりである。
【００３４】
[0034]本開示は、予防的な注射イベントに続いて、患者が個別化された、凝固因子ＶＩＩＩレベルのリアルタイム指標を見ることができるようにする薬物モニタリングツールに関する。例えば、薬物モニタリングツールはユーザが凝固因子ＶＩＩＩのリアルタイムのレベルを判断できるようにする因子メータを含む。そのような情報を手にすると、患者は、例えば、彼らが身体的に傷害を起こすような活動（例えば、サッカーなどのスポーツ）に参加すべきかどうかを判断するためにより良い準備ができるであろう。したがって、薬物モニタリングツールは患者が彼らの凝固因子ＶＩＩＩレベルの正確な情報に基づいて彼らの活動レベルに関してインフォームド決定を行えるようにする。加えて、薬物モニタリングツールによって提供される因子メータは、予防的な注射イベントの後あらゆる所与の時間において、患者がそのシステム内で凝固因子ＶＩＩＩの時間変化量を決定できるようにする。そして患者は予測された凝固因子ＶＩＩＩレベルに基づいて、将来の活動レベルを計画できることが有利である。
【００３５】
[0035]本明細書で使用されるように、用語「凝固因子ＶＩＩＩ」、「ＦＶＩＩＩ」、又は「ｒＡＨＦ」は、完全なＢドメインの少なくとも一部を有するあらゆるＦＶＩＩＩ分子を指し、ネイティブＦＶＩＩＩに関連付けられる生物活性を呈する。本開示の一実施形態において、ＦＶＩＩＩ分子は完全長のＦＶＩＩＩである。ＦＶＩＩＩ分子はＦＶＩＩＩ：ＣをエンコードするＤＮＡにハイブリダイズすることができるＤＮＡシーケンスによってエンコードされるタンパク質である。そのようなタンパク質はドメインＡ１−Ａ２−Ｂ−Ａ３−Ｃ１−Ｃ２の間、又はその内部の様々なサイトでアミノ酸欠失を含むことができる。ＦＶＩＩＩ分子はさらにネイティブ凝固因子ＦＶＩＩＩのアナログであってもよく、１つ又は複数のアミノ酸残基が部位特異的突然変異誘発によって置換されている。
【００３６】
[0036]用語「組み換え因子ＶＩＩＩ」（ｒＦＶＩＩＩ）はあらゆるｒＦＶＩＩＩ、異種若しくは自然発生するもの、組み換えＤＮＡ技術によって得られるもの、又はその生物活性誘導体を含んでもよい。本明細書で使用されるように、「内因性ＦＶＩＩＩ」は処置を受けることを意図される哺乳類から生ずるＦＶＩＩＩを含む。その用語は導入遺伝子又は哺乳類に存在するあらゆる他の外部ＤＮＡから転写されるＦＶＩＩＩも含む。本明細書で使用されるように、「外因性ＦＶＩＩＩ」又は治療的血漿タンパク質は哺乳類から生じていない凝固因子ＦＶＩＩＩを含む。
【００３７】
[0037]ＦＶＩＩＩ分子は自然に、及び治療的製剤中に単一の遺伝子産物から生ずるポリペプチドの不均質分布として存在する。本明細書で使用されるように、用語「凝固因子ＶＩＩＩ」は、血漿由来又は組み換えＤＮＡ技術の使用を通じて産生されたものかに関わらず、すべてのそのようなポリペプチドを指し、限定はしないが、ＦＭＩＩＩ模倣物質、ｆｃ−ＦＶＩＩＩコンジュゲート、水溶性ポリマーで化学的に修飾されたＦＶＩＩＩ、及び他の形態又はＦＶＩＩＩの誘導体を含む。ＦＶＩＩＩを含有する治療的製剤の市販されている例としては、ＡＤＶＡＴＥ、ＨＥＭＯＦＩＬ  Ｍ、及びＲＥＣＯＭＢＩＮＡＴＥ（シャイアー社（アメリカ合衆国、イリノイ州、バノックバーン）から入手可能）の商品名で販売されているものが挙げられる。他の製剤は主にＦＶＩＩＩ分子の単一の亜集団を含み、分子のＢドメイン部分を欠如している。
【００３８】
[0038]本開示で有用なＦＶＩＩＩ分子は完全長タンパク質、タンパク質の前駆体、タンパク質の生物学的に活性若しくは官能サブユニット若しくはフラグメント、及び／又はその官能誘導体、並びに以下で説明するようなその変形物を含む。凝固因子ＶＩＩＩへの言及はそのようなタンパク質のすべての可能性のある形態を含むことを意味しており、ＦＶＩＩＩの形態のそれぞれはネイティブな完全なＢドメインシーケンスの少なくとも一部又はすべてを有する。
【００３９】
[0039]本明細書で使用されるように、「投与間隔」は患者に投与される複数回の投与同士の間で経過する時間の長さを意味する。凝固因子ＶＩＩＩを含む治療的血漿タンパク質を投与する投与間隔は少なくとも約１日、２日、３日、４日、５日、６日、７日、８日、９日、１０日、１１日、１２日、１３日、１４日、又はそれより長くてもよい。投与間隔は、変化する患者の容体／性質、患者内の治療的血漿タンパク質の最低限容認可能（例えば、目標値）濃度への変化、及び／又は用量への変化に基づいて変わってもよい。
【００４０】
[0040]図１は本開示の例示的な実施形態による、薬物モニタリングツール１５０が動作する例示的な薬物動態学的（ＰＫ）環境１００を示す。環境１００はモデル生成器１２５、ＱＲ生成器１３２、及びＰＫサーバ１３０を含むリモートサーバ１２０を含む。リモートサーバ１２０は特許医学的なサンプル１１０を記憶するデータ記憶装置１１５に通信可能に連結される。
【００４１】
[0041]モデル生成器１２５はサンプリングされた患者データ１１０に基づいて１つ又は複数の患者の薬物動態学的（ＰＫ）モデルを生成するように構成されている。環境１００は、１つ又は複数の薬物動態学的モデルに基づいて、患者、ヘルスケア事業者、及び／又は販売代理店に図形的な薬物動態学的な薬物投与ツール１５０を提供するように構成されている薬物動態学的（「ＰＫ」）サーバ１３０も含む。図示される実施形態において、ＰＫサーバ１３０はネットワーク１１４（例えば、インターネット）を介して患者ＰＫモデルを薬物モニタリングツール１５０に送信する。他の実施形態において、ＰＫサーバ１３０はＰＫプロファイルをホスティングし、ＰＫプロファイルは薬物モニタリングツール１５０によってアクセス可能である。これらの他の実施形態において、ＰＫサーバ１３０は単一のサーバを含んでもよいか、又は代替的に、クラウドコンピューティングフレームワーク内で分散されてもよい。
【００４２】
[0042]例示的なＰＫサーバ１３０及び／又はモデル生成器１２５は患者の薬物動態学的（ＰＫ）モデルを記憶するように構成されているデータベース１１５に通信可能に連結され得る。データベース１１５はＲＡＭ、ＲＯＭ、フラッシュメモリ、磁気若しくは光学ディスク、光学メモリ、又は他の記憶媒体を含むあらゆるタイプのコンピュータ可読媒体を含むことができる。例示的なデータベース１１５は、ユーザが含むツール１５０を使用することに応答して生成された情報を記憶することもでき、例えば、患者情報、投与レジメン等を含む。いくつかの例において、データベース１１５は別個のサードパーティの記憶装置プロバイダによって管理されてもよい。
【００４３】
[0043]いくつかの例において、ＰＫサーバ１３０及び／又はモデル生成器１２５は、同一のサーバ（例えば、リモートサーバ１２０）及び／若しくはプロセッサによって提供されもよく、並びに／又は同一のエンティティによって動作させられてもよい。これらの例において、モデル生成器１２５の機能はＰＫサーバ１３０の機能とともに動作することができる。例えば、モデル生成器１２５は、薬物動態学的モデルを、ツール１５０を介してＰＫサーバ１３０から受信した治療的血漿タンパク質投与情報及び／又は患者情報で定期的に更新することができる。
【００４４】
[0044]いくつかの例示的な実施形態において、薬物動態学的（ＰＫ）モデルを使用して患者の薬物動態学的（ＰＫ）プロファイルを近似する。例えば、血友病Ａについて患者特有の薬物動態学的プロファイルを決定するための現在の方法は、複数回の血液検査を実施することを含む。これらの血液検査は最初の採血を実施して患者の凝固因子ＶＩＩＩのベースラインを決定することを含む。次いで、治療的血漿タンパク質が投与された後、４８時間の注射後期間を通して、５回又はより多くの採血が実施される。諒解されるように、非常に多くの別個の採血のため、そのような手順は患者、ヘルスケア事業者及び検査機関にとって殊に厄介なものである。したがって、例示的なモデル生成器１２５は、変化する年齢、体重、性別、及び活動レベルを伴う患者のサンプルに基づいて、比較的正確な薬物動態学的モデルを生成するように構成されている。次いでこれらのモデルを使用して、患者をすべての採血及び後続の分析にかける必要なく患者の薬物動態学的プロファイルを決定するか、又は近似する。
【００４５】
[0045]ある実施形態において、１つ又は複数の患者データのセットから選択される患者サンプル１１０を使用して、ＰＫモデルが決定される。患者サンプル１１０は、例えば、上述の採血手順を使用して治療的用量レジメンを既に処方されている患者から選択することもできる。患者サンプル１１０はモデルを作成する目的で特別に採血手順を行ってもらうように選択された患者も含む。患者サンプル１１０は、１つの病院若しくは医療システムからの患者、及び／又は複数の病院、医療システム、地理的地域等から関連付けられる患者を含むことができる。
【００４６】
[0046]患者サンプル１１０は、変化する年齢、体重（又は体格指数（「ＢＭＩ」）、医学的条件、臨床検査データ、性別、及び／又は活動レベルの、患者についてのデータを含む。本明細書で説明される例において、サンプルの患者年齢は２歳から１００歳の間で変動がある。いくつかの実装形態において、患者についてのデータは小児と成人の年齢層に分け、別個のモデルがそれぞれの層について生成されるようにしてもよい。患者データは追加的に又は代替的に、体重、性別、及び／又は活動レベルに基づいて区分することができる。
【００４７】
[0047]言及したように、例示的な患者サンプル１１０は治療的血漿タンパク質が患者に注射される前の凝固因子ＶＩＩＩの決定を含む。その後、一定の持続時間の後、それぞれの患者から注射後血液サンプルが収集される。他の例において、血液サンプルは異なる時間に収集されてもよく、及び／又は収集される血液サンプルの数はより少なくてもよく、若しくはより多くてもよいことを諒解すべきである。例えば、小児からは、より少ない血液サンプルが収集されてもよい。
【００４８】
[0048]例示的なモデル生成器１２５は、治療的血漿タンパク質の注射後の時間を通してサンプリングされた患者における凝固因子ＶＩＩＩの以前のナレッジを使用するベイズ分析を実施することによって、ＰＫ患者モデルを作成する。いくつかの例において、ＰＫモデルを構築するための洗い出しデータが必要とされないように、モデル生成器１２５はそれぞれの患者のサンプリングされた投与履歴を、注射前の凝固因子ＶＩＩＩレベルと併せて分析するように構成されている。他の実施形態において、モデル生成器１２５は、１つ又は複数の薬物動態学的モデルを作成するための注射後凝固因子ＶＩＩＩレベルと併せて患者の洗い出しデータを使用してもよい。患者の洗い出しデータは、そのシステムにおいて患者が治療的血漿タンパク質を含まなくなるベースラインに対応する。
【００４９】
[0049]例示的なモデル生成器１２５は、例えば、患者サンプルデータを使用して１つ又は複数のＰＫモデルを作成する。モデル生成器１２５は個別の患者サンプル１１０を１つ又は複数のポピュレーションプロファイル（例えば、年齢セット、体重セット、活動レベルセット、内因性凝固因子ＶＩＩＩレベル、等）に結合し、ポピュレーションプロファイルは次いでそれぞれの薬物動態学的モデルについての基礎として使用される。例えば、モデル生成器１２５は患者サンプル１１０を異なる年齢、体重、及び／又は活動レベルについて、異なるセットにグループ化することができる。その全体が参照によって本明細書に組み込まれるＢｊｏｒｋｍａｎらによる「Ｐｏｐｕｌａｔｉｏｎ  ｐｈａｒｍａｃｏｋｉｎｅｔｉｃｓ  ｏｆ  ｒｅｃｏｍｂｉｎａｎｔ  ｆａｃｔｏｒ  ＶＩＩＩ  −  ｔｈｅ  ｒｅｌａｔｉｏｎｓｈｉｐｓ  ｏｆ  ｐｈａｒｍａｃｏｋｉｎｅｔｉｃｓ  ｔｏ  ａｇｅ  ａｎｄ  ｂｏｄｙ  ｗｅｉｇｈｔ」と題される白書に説明されるように、モデル生成器１２５はその後、それぞれのセットのグループ化された患者サンプル１１０に対して共変動の、及び統計的なモデリングを実施し、そのセットについてのポピュレーション薬物動態学的モデルを作成する。しかしながら、モデル生成器１２５は他のベイズ分析手法（例えば、単純ベイズ分類器）を使用してサンプリングされたデータ１１０をモデリングできることを諒解すべきである。
【００５０】
[0050]図示される例において、モデル生成器１２５によって使用される共変動のモデルは、薬物動態学的パラメータ（例えば、治療的血漿タンパク質がどれくらいの速さで代謝されるか、内因性凝固因子ＶＩＩＩレベル、等）と患者の性質（例えば、年齢、体重、臨床検査データ、性別、活動レベル、等）との関連性を決定する。モデル生成器１２５は、患者、測定誤差、及び薬物動態学的モデルに対するサンプリングされたデータ１１０のフィッティング内の誤差間での生体学的なバラツキの結果としての剰余分散に加えて、統計的なモデルを使用してサンプリングされた患者の間での薬物動態学的パラメータの分散を決定する。
【００５１】
[0051]例示的なモデル生成器１２５は、ＳＡＳ（登録商標）ソフトウェアにおいて提供されるような一次積分近似法で非線形混合効果モデリング（ＮＬＭＩＸＥＤ手順）を使用して共変動な、及び統計的なモデリングを実施するように構成されている。図示される例において、モデル生成器１２５は２分画モデルを使用する。他の例において、モデル生成器１２５は１分画モデル又は３以上の分画のモデルを使用してもよい。図示される２分画の例において、第１の分画はクリアランス（「ＣＬ」）及び分布容積（Ｖｌ）の薬物動態学的パラメータを含む。ＣＬは患者が１キログラム（「ｋｇ」）当たり１時間当たりミリリットル（「ｍｌ」）単位の治療的血漿タンパク質を代謝する時間の長さを指す。換言すると、クリアランスは治療的血漿タンパク質が患者から取り除かれる又は除去される効率及び速度の測定値である。
【００５２】
[0052]１つ又は複数の薬物動態学的モデルを作成することに応答して、モデル生成器１２５はＰＫサーバ１３０に薬物動態学的モデル（複数可）を提供する。送信はローカルエリアネットワーク等のプライベートネットワークを介するもの、又はインターネット等のパブリックなネットワークを介するものであってもよい。モデル生成器１２５はさらにモデルをデータベース１１５に記憶してもよく、データベース１１５はさらにＰＫサーバ１３０によって１つ又は複数のインターフェースを介してアクセス可能であってもよい。他の例において、モデル生成器１２５はＰＫサーバ１３０と一体化されてもよい。
【００５３】
[0053]例示のモデル生成器１２５はそれぞれの患者についてのモデルの精度を高めることができる。例えば、ＰＫサーバ１３０は体重、年齢、性別、内因性凝固因子ＶＩＩＩレベル、及び以前の処置についての投与レベルを含む、患者特異的な情報を受信することができる。投与推奨及び薬物動態学的プロファイルが、潜在的な患者の分散を考慮しつつも特定の患者により整合するように、モデル生成器１２５は以前の処置情報（例えば、投与の量、間隔、等）を使用してモデルの精度を高めるか、又は調整する。モデル生成器１２５はＰＫサーバ１３０に患者特異的なモデルを送信する。
【００５４】
[0054]代替的に、ＰＫサーバ１３０は、患者特異的な薬物動態学的分散を考慮するためにモデル生成器１２５によって提供される薬物動態学的モデルを使用して患者特異的なモデルを作成するように構成されている。このやり方において、特定の患者についての以前の処置情報を受信することに応答して、１つ又は複数のベースモデルがＰＫサーバ１３０によって精度を高められるか、又は調整される。ＰＫサーバ１３０は、同一のヘルスケア事業者又は他のヘルスケア事業者による後続の使用のために、患者特異的なモデルをデータベース１１５に記憶するように構成されていてもよい。
【００５５】
[0055]患者についてのＰＫプロファイルが生成されると、ＰＫサーバはＰＫプロファイルを薬物モニタリングツール１５０に送信するように構成されている。いくつかの実施形態において、ＰＫサーバ１３０は送信に先立ってデータファイルを暗号化することができる。ツール１５０が患者特異的な認証キーを有する場合、薬物モニタリングツール１５０が受信したＰＫプロファイルを開くこと、及び処理することだけができるように、暗号化は特定の患者に特異的であってよい。
【００５６】
[0056]他の実施形態において、ＰＫサーバ１３０はＱＲ生成器１３２にＰＫプロファイルを提供することができる。ＱＲ生成器１３２は薬物モニタリングツール１５０によってスキャナ１６０を介してスキャンされ得るキューアール（ＱＲ）コードを生成することができる。ＱＲコードは、ＱＲコードを暗号化する既知の、又は知られることになる方法を使用して暗号化することもできる。いくつかの例において、ＱＲコードの暗号化はＰＫプロファイルが生成された患者について特異的である。したがって、薬物モニタリングツール１５０が適切なセキュリティキー（複数可）及び復号ロジックを含む場合、薬物モニタリングツール１５０はＱＲコードをスキャンすること、及び処理することだけができる。特に、ＱＲコードは薬物モニタリングツール１５０のユーザに提示され得る。次いでユーザはスキャナ１６０を使用してＱＲコードをスキャンする。いくつかの実施形態において、薬物モニタリングツールはアクティブ化ツールキット１５５を含む。アクティブ化ツールキット１５５は、患者が、患者のＰＫプロファイルを受信すること、及び／又は最初の予防的な注射のログを受信すること、のうちの少なくともに応答して薬物モニタリングツール１５０の機能群にアクセスできるように構成されている。
【００５７】
[0057]薬物モニタリングツール１５０がアクティブ化されると、ツール１５０はプロセッサ（複数可）１６５を介して、ツール１５０上の表示のための対話的なユーザインターフェース１７５を生成する。ユーザインターフェース１７５の例を、例えば図５を参照して、本明細書でさらに説明する。ユーザインターフェース１７５はあらゆる所与の時間における患者内の治療的血漿タンパク質の時間変化量の図形表示を表示するように構成されている。治療的血漿タンパク質の時間変化量に関連付けられるゾーンの輪郭を描く図形表示。それぞれのゾーンは患者内の治療的血漿タンパク質の時間変化量の特定の濃度範囲に関連付けられる。
【００５８】
[0058]薬物モニタリングツール１５０は注射ポンプ１４０及び生体学的収集器１３５に通信可能に連結することができる。注射ポンプ１４０は特定の凝固因子ＶＩＩＩ薬物を、投与レジメン／処置スケジュールに基づいて、自動的に投与するように構成することができる。いくつかの実施形態において、注射ポンプ１４０は、生体学的収集器１３５によって収集された生体学的なサンプルの結果に応答して特定の凝固因子ＶＩＩＩ薬物の用量を投与するように構成することができる。例えば、収集器１３５は血液サンプルを収集し、患者の因子ＶＩＩＩレベルを決定することができる。その量に応答して、注射ポンプ１４０は特定の凝固因子ＶＩＩＩ薬物の用量を投与することができる。
【００５９】
[0059]追加的に、環境１００は、ネットワーク１０５に連結され、リモートサーバ１２０及び薬物モニタリングツールの両方と通信する、エコシステムモニタリングシステム１８０を含むことができる。システム１８０は患者が購入するための特定の凝固因子ＶＩＩＩ薬物を準備するように、薬剤師に通知を提供することができる。例えば、患者が近い将来薬物を必要とするように、システム１８０は患者が残りの薬物の閾値量を有しているかどうかを判断することができる。同様に、システム１８０は、医師が患者に関連付けられるリアルタイムの情報を有していることを確認するために、医師に連絡を取ることができる。したがって、医師は必要が生じると、患者のケアをするために迅速な行動をとることができる。
【００６０】
[0060]図２は本開示の例示的な実施形態による、特定の患者のＰＫプロファイルを生成するための方法２００の流れ図である。２０５において、方法２００は患者情報を収集すること（例えば、患者サンプル１１０、病歴、等）を含む。２１０において、方法２００は患者についてＰＫプロファイル２１０を生成することを含む。ＰＫプロファイルは、２０１４年６月２０日に提出された米国特許出願公開第１４／３１１,１３３号（現在２０１４年１２月２５日付けで米国特許出願公開２０１４／０３７９６２９号として公開されている）に説明されるように生成することができる。その教示全体が参照によって本明細書に組み込まれる。２１５において、方法２００は、ＰＫプロファイルをエンコードすることを含む。いくつかの例において、ＰＫプロファイルは既知の、又は知られることになる電子データエンコード手法を使用してＰＫサーバ１３０によってエンコードされ得る。２２０において、方法２００は薬物モニタリングツール１５０にＰＫプロファイルを送信することを含む。
【００６１】
[0061]図３は本開示の例示的な実施形態による、ＰＫプロファイルをＱＲコードに変換するための方法３００の流れ図である。３１０において、方法３００はＰＫプロファイルから必須のデータポイントを抽出することを含む。例えば、以下の表１は例示の患者についてＱＲコードにエンコードされる情報を明らかにする。
【表１】
0006860134.tif 000002
0006860134.tif 000003
次いで３２０において、方法３００は、上の表１からの情報を使用してＱＲコードを生成する。方法３００はＡＥＳ−２５６暗号化を使用して暗号ブロック連鎖（ＣＢＣ）及び公開鍵暗号標準（ＰＫＣＳ）パディングで暗号化された患者情報を有するためにＱＲコードを生成することができる。
【００６２】
[0062]図４は本開示の例示的な実施形態による、薬物モニタリングツール（例えば、図１のツール１５０）の対話的なユーザインターフェース４００を示す。対話的なユーザインターフェースはあらゆる所与の時間における患者内の治療的血漿タンパク質の時間変化量の図形表示４０５を表示するように構成されている。この例において、表示は電池の表示である。当業者であればあらゆる表示が薬物レベルの時間変化する本質を伝えるために使用できることを理解するであろう。治療的血漿タンパク質の時間変化量に関連付けられるゾーン４１５ａ〜ｃの輪郭を描く図形表示４０５。例えば、安全ゾーン４１５ａは凝固因子ＶＩＩＩのレベルが多くの予期される活動レベルについて安全であると考えられることを示している。警告ゾーン４１５ｂは、出血イベントを防ぐために患者が活動レベルを慎重に選択するべきである指標を患者に提供する。危険ゾーン４１５ｃは近い将来患者が特定の凝固因子ＶＩＩＩ薬物の新しい用量を投与するべきことを示す。危険ゾーン４１５ｃはさらに、活動レベルを最小限にとどめるべきであることの指標を患者に提供する。
【００６３】
[0063]インターフェース４００は、ある薬物（例えば、特定の凝固因子ＶＩＩＩ薬物）の現在の薬物レベル（例えば、因子レベル）の表示も含む。ユーザインターフェース４００は、特定の時間における患者内の治療的血漿タンパク質の時間変化量についての要求に対応する患者の入力を受信するように構成されている図的な制御要素４１０をさらに含む。患者が図的な制御要素４１０をスライドさせることに応答して、対話的なユーザインターフェース４００は、図的な制御要素４１０の位置に対応する特定の時間における患者内の治療的血漿タンパク質の時間変化量を表示するように構成されている。
【００６４】
[0064]図５は例示的なコンピューティングデバイス３０００の詳細なブロック図である。コンピューティングデバイス３０００は、デスクトップコンピュータ、ラップトップコンピュータ、サーバシステム、クラウドベースのコンピュータシステム、無線送信／受信ユニット（ＷＴＲＵ）（例えば、スマートフォン、タブレットコンピュータ、携帯電話、携帯情報端末（ＰＤＡ）、等）などの、あらゆる通信デバイスであってもよい。したがって、コンピューティングデバイス３０００は例えば、リモートサーバ１２０、薬物モニタリングツール１５０、及び／又はエコシステムモニタリングシステム１８０であってもよい。
【００６５】
[0065]この例において、デバイス３０００はメインユニット３１０２を含む。メインユニット３１０２は、アドレス／データバス３１０６によって、１つ又は複数のメモリデバイス３１０８、他のコンピュータ回路３１１０、及び１つ又は複数のインターフェース回路３１１２と通信可能に連結される、１つ又は複数のプロセッサ３１０４を含むことが好ましい。プロセッサ３１０４は、マイクロプロセッサのＩＮＴＥＬ  ＰＥＮＴＩＵＭ（登録商標）、又はＣＯＲＥ（商標）ファミリーからのマイクロプロセッサなどの、あらゆる適切なプロセッサであってもよい。メモリ３１０８は揮発性メモリ、及び非揮発性メモリを含むことが好ましい。メモリ３１０８は上述のように環境１００内の他のデバイスと対話するソフトウェアプログラムを記憶することが好ましい。このプログラムはあらゆる適切なやり方で、プロセッサ３１０４によって実行することができる。例示的な実施形態において、デバイス３０００によってクラウドコンピューティングが利用され得るように、メモリ３１０８は「クラウド」の一部であってもよい。メモリ３１０８は、デバイス３０００から検索される（又はデバイス３０００を介してロードされる）文書、ファイル、プログラム、ウェブページ、患者サンプル、薬物動態学的モデル、患者の薬物動態学的プロファイル、等を示すデジタルデータを記憶することもできる。
【００６６】
[0066]例示的なメモリデバイス３１０８はソフトウェア命令３１２３、患者サンプル／薬物動態学的モデル３１２４、アプリケーションインターフェース３１２６、ユーザインターフェースの特徴、許可、プロトコル、識別コード、内容情報、登録情報、イベント情報、及び／又は設定を記憶する。メモリデバイス３１０８は、ネットワーク又はシステムインターフェースの特徴、許可、プロトコル、設定、及び／又はデバイス３０００による使用のための選好情報３１２８を記憶することもできる。本明細書で開示される方法及び装置の実装を容易にするために、多くの他のデータフィールド及びレコードがメモリデバイス３１０８に記憶され得ることが諒解されよう。加えて、あらゆるタイプの適切なデータ構造（例えば、フラットファイルデータ構造、リレーショナルデータベース、ツリーデータ構造、等）が本明細書で開示される方法及び装置の実装を容易にするために使用され得ることが諒解されよう。
【００６７】
[0067]インターフェース回路３１１２は、イーサネット（登録商標）インターフェース及び／又はユニバーサルシリアルバス（ＵＳＢ）インターフェースなどのあらゆる適切なインターフェース規格を使用して実装することができる。データ及びコマンドをメインユニット３１０２に入力するために、１つ又は複数の入力デバイス３１１４がインターフェース回路３１１２に接続することができる。例えば、入力デバイス３１１４はキーボード、マウス、タッチスクリーン、トラックパッド、トラックボール、アイソポイント、イメージセンサ、文字認識、バーコードスキャナ、マイクロフォン、及び／又は発話若しくは音声認識システムであってもよい。
【００６８】
[0068]１つ又は複数のディスプレイ、プリンタ、スピーカ、及び／又は他の出力デバイス３１１６はさらにインターフェース回路３１１２を介して、メインユニット３１０２に接続されてもよい。ディスプレイは、ブラウン管（ＣＲＴ）、液晶ディスプレイ（ＬＣＤ）、又はあらゆる他のタイプのディスプレイであってもよい。ディスプレイはデバイス３０００の動作中に生成される視覚的な表示を生成する。例えば、ディスプレイはユーザインターフェースを提供することができ、またデバイス３０００から受信した１つ又は複数のウェブページを表示することができる。ユーザインターフェースは、リンク、ボタン、タブ、チェックボックス、サムネイル、テキストフィールド、ドロップダウンボックス等を含む、デバイス３０００のユーザから人間の入力のためのプロンプトを含むことができ、ユーザ入力に応答して、テキスト、静止画像、動画、音声、及びアニメーションなどの様々な出力を提供することができる。
【００６９】
[0069]１つ又は複数の記憶デバイス３１１８はさらにインターフェース回路３１１２を介して、メインユニット３１０２に接続されてもよい。例えば、ハードドライブ、ＣＤドライブ、ＤＶＤドライブ、及び／又は他の記憶デバイスをメインユニット３１０２に接続することができる。記憶デバイス３１１８は、識別子、識別コード、登録情報、患者サンプル、患者情報、薬物動態学的モデル、患者の薬物動態学的プロファイル、処置レジメン、統計的なデータ、セキュリティデータ等、デバイス３０００によって使用され得るようなあらゆるタイプのデータを記憶することができる。
【００７０】
[0070]コンピューティングデバイス３０００は、ネットワーク３１２１（例えば、インターネット）又はネットワーク３１２１に接続される無線送受信機３１２２への接続を介して他のネットワークデバイス３１２０とデータを交換することもできる。ネットワークデバイス３１２０は、あるタイプのデータを記憶するために使用され得る１つ又は複数のサーバ、及び１つ又は複数のデータリポジトリに記憶され得る特に大容量のデータを含むことができる。サーバはデータベース、プログラム、ファイル、ライブラリ、識別子、識別コード、登録情報、内容情報、患者サンプル、患者情報、薬物動態学的モデル、患者の薬物動態学的プロファイル、処置レジメン、統計的なデータ、セキュリティデータ等を含むあらゆる種類のデータを処理すること、又は管理することができる。サーバは大容量のデータを受信すること、送信すること、処理すること、及び記憶することに関する様々なアプリケーションを記憶し、動作させることができる。１つ又は複数のサーバの様々な設定が、環境１００のデバイス３０００をサポート、維持、又は実装するために使用され得ることを諒解すべきである。例えば、サーバはＰＫサーバ１０８、病院システム、患者、薬物製造元、サービスプロバイダ等のオペレータを含む様々な異なるエンティティによって動作させられ得る。さらに、一時的又は永続的のいずれかで、サーバ、例えば、メモリ３１０８又は記憶デバイス３１１８、にも記憶される、あるデータがデバイス３０００に記憶されてもよい。ネットワーク接続はイーサネット接続、デジタル加入者線（ＤＳＬ）、電話線、同軸ケーブル、無線接続等のような、あらゆるタイプのネットワーク接続であってもよい。
【００７１】
[0071]デバイス３０００へのアクセスは、適当なセキュリティソフトウェア又はセキュリティ対策によって制御することができる。個別のサードパーティクライアント又は消費者のアクセスはデバイス３０００によって定義され、あるデータ及び／又はアクションに限定することができる。したがって、環境１００のユーザはコンピューティングデバイス３０００に登録することが要求され得る。
【００７２】
[0072]本開示はその例示的な実施形態を参照して特に示し、説明してきたが、当業者であれば添付の特許請求の範囲によって包含される本開示の範囲から逸脱することなく、形態及び細部における様々な変更がそこでなされ得ることを理解されたい。
［発明の項目］
［項目１］
患者の薬物動態学的（ＰＫ）プロファイルを受信するように構成されているデータ受信機と、
前記患者の時間変化する治療的血漿タンパク質レベルを前記患者に表示するように構成されている対話的なユーザインターフェースであって、前記時間変化する治療的血漿タンパク質レベルが、凝固因子ＶＩＩＩの投与された用量及び前記患者の前記ＰＫプロファイルに基づいている、対話的なユーザインターフェースと、
を備える、薬物モニタリングツール。
［項目２］
前記患者の前記ＰＫプロファイルが、サンプリングされた患者のＰＫプロファイルのベイズモデルに基づいており、且つ、前記患者の体重、フォン・ウィルブランド因子（「ｖＷＦ」）レベル、及び／又は年齢のうちの少なくとも１つに基づく、項目１に記載の薬物モニタリングツール。
［項目３］
前記データ受信機が、少なくともＰＫプロファイル情報を含む患者情報を記憶するキューアール（ＱＲ）コードをスキャンするように構成されているカメラであり、
前記薬物モニタリングツールが、前記ＱＲコードに記憶された前記患者情報を抽出するとともに処理するように構成されているＱＲコードプロセッサをさらに備える、項目１に記載の薬物モニタリングツール。
［項目４］
前記データ受信機が、セキュアサーバから前記ＰＫプロファイルを受信するように構成されている通信インターフェースであって、前記受信されたＰＫプロファイルが暗号化され、
前記通信インターフェースが前記暗号化されたＰＫプロファイルを復号化するようにさらに構成されている、項目１に記載の薬物モニタリングツール。
［項目５］
ＡＥＳ−２５６暗号化を使用して暗号ブロック連鎖（ＣＢＣ）及び公開鍵暗号標準（ＰＫＣＳ）パディングで暗号化された患者情報を有する前記ＱＲコードを生成するように構成されているＱＲコード生成器をさらに備える、項目３に記載の薬物モニタリングツール。
［項目６］
前記ＱＲコード生成器が、前記薬物モニタリングツールから離れたセキュアサーバに配置される、項目５に記載の薬物モニタリングツール。
［項目７］
前記ＱＲコードが、患者特定情報、患者生理学的データ、患者投与情報、及び／又は前記患者のＰＫプロファイル情報、のうちの少なくとも１つ、又はそのあらゆる組み合わせを含み、前記患者投与情報が、特定の凝固因子ＶＩＩＩ薬物についての予防的投与レジメンを含む、項目３に記載の薬物モニタリングツール。
［項目８］
前記患者の前記ＰＫプロファイルを受信すること、及び／又は最初の予防的な注射のログを受信すること、のうちの少なくともに応答して前記薬物モニタリングツールの機能群にアクセスできるように構成されているアクティブ化ツールキットをさらに備える、項目１に記載の薬物モニタリングツール。
［項目９］
前記対話的なユーザインターフェースが、あらゆる所与の時間における前記患者内の前記治療的血漿タンパク質の時間変化量の図形表示を表示するように構成されており、前記図形表示が、前記治療的血漿タンパク質の前記時間変化量に関連付けられるゾーンの輪郭を描いており、それぞれのゾーンが、前記患者内の前記治療的血漿タンパク質の前記時間変化量の特定の濃度範囲に関連付けられる、項目１に記載の薬物モニタリングツール。
［項目１０］
前記対話的なユーザインターフェースが、特定の時間における前記患者内の前記治療的血漿タンパク質の前記時間変化量についての要求に対応する患者の入力を受信するように構成されている図的な制御要素を含み、前記対話的なユーザインターフェースが、前記特定の時間における前記患者内の前記治療的血漿タンパク質の前記時間変化量の前記図形表示を表示するように構成されている、項目９に記載の薬物モニタリングツール。
［項目１１］
患者の薬物動態学的（ＰＫ）プロファイルを受信するように構成されているデータ受信機と、
前記患者内の時間変化する薬物濃度レベルを患者に提示するように構成されている対話的なユーザインターフェースであって、前記時間変化する薬物濃度レベルが、対象薬物の投与された用量及び前記患者の前記ＰＫプロファイルに基づいている、対話的なユーザインターフェースと、
を備える、薬物モニタリングツール。
［項目１２］
薬物モニタリングツールによって実行される、薬物モニタリングする方法であって、
患者の薬物動態学的（ＰＫ）プロファイルを受信するステップと
前記患者の時間変化する治療的血漿タンパク質レベルを患者に表示することを対話的なユーザインターフェースにさせるステップであって、前記時間変化する治療的血漿タンパク質レベルが、凝固因子ＶＩＩＩの投与された用量及び前記患者の前記ＰＫプロファイルに基づいている、ステップと、
を含む、薬物モニタリングする方法。
［項目１３］
前記患者の前記ＰＫプロファイルが、サンプリングされた患者のＰＫプロファイルのベイズモデルに基づいており、且つ、患者の体重、フォン・ウィルブランド因子（「ｖＷＦ」）レベル、及び／又は年齢のうちの少なくとも１つに基づく、項目１２に記載の方法。
［項目１４］
前記ＰＫプロファイルを受信するステップが、少なくともＰＫプロファイル情報を含む患者情報を記憶するキューアール（ＱＲ）コードをスキャンするステップと、
前記ＱＲコードに記憶された前記患者情報を抽出するとともに処理するステップと、
を含む、項目１２に記載の方法。
［項目１５］
セキュアサーバから前記ＰＫプロファイルを受信するステップであって、前記受信されたＰＫプロファイルが暗号化される、受信するステップと、前記暗号化されたＰＫプロファイルを復号化するステップと、
をさらに含む、項目１２に記載の方法。
［項目１６］
ＡＥＳ−２５６暗号化を使用して暗号ブロック連鎖（ＣＢＣ）及び公開鍵暗号標準（ＰＫＣＳ）パディングで暗号化された患者情報を有する前記ＱＲコードを生成するステップをさらに備える、項目１４に記載の方法。
［項目１７］
前記ＱＲコードが、患者特定情報、患者生理学的データ、患者投与情報、及び／又は前記患者のＰＫプロファイル情報、のうちの少なくとも１つ、又はそのあらゆる組み合わせを含み、前記患者投与情報が特定の凝固因子ＶＩＩＩ薬物についての予防的投与レジメンを含む、項目１４に記載の方法。
［項目１８］
患者が、前記患者の前記ＰＫプロファイルを受信すること、及び／又は最初の予防的な注射のログを受信すること、のうちの少なくともに応答して前記薬物モニタリングツールの機能群にアクセスできるようにするステップをさらに含む、項目１２に記載の方法。
［項目１９］
あらゆる所与の時間における前記患者内の前記治療的血漿タンパク質の時間変化量の図形表示を表示するステップであって、前記図形表示が、前記治療的血漿タンパク質の前記時間変化量に関連付けられるゾーンの輪郭を描いており、それぞれのゾーンが、前記患者内の前記治療的血漿タンパク質の前記時間変化量の特定の濃度範囲に関連付けられる、ステップをさらに含む、項目１２に記載の方法。
［項目２０］
特定の時間における前記患者内の前記治療的血漿タンパク質の前記時間変化量についての要求に対応する患者の入力を受信するように構成されている図的な制御要素を用意するステップと、
前記特定の時間における前記患者内の前記治療的血漿タンパク質の前記時間変化量の前記図形表示を表示するステップと、
をさらに含む、項目１９に記載の方法。
［項目２１］
治療的血漿タンパク質投与レジメン装置と、薬物モニタリングツールと、を備える薬物モニタリングシステムであって、
前記治療的血漿タンパク質投与レジメン装置は、
サンプリングされた患者の薬物動態学的（ＰＫ）プロファイルのベイズモデルを作成するモデル生成器であり、
前記ベイズモデルが（ｉ）治療的血漿タンパク質のクリアランス、及び（ｉｉ）患者の年齢又は体重のうちの少なくとも１つに基づく治療的血漿タンパク質についての分布容積関連性、を含む、モデル生成器と、
ＰＫサーバであり、
前記ベイズモデル、前記患者内の前記治療的血漿タンパク質の半減期、及び前記患者の年齢又は前記患者の体重のうちの少なくとも１つ、に基づいて患者の近似のＰＫプロファイルを決定することと、
前記患者の前記近似のＰＫプロファイルに基づき時間期間を通しての用量及び治療的血漿タンパク質レベルを含む前記治療的血漿タンパク質投与レジメンを決定することと、
前記患者に用量を適用するための投与間隔を受信することに応答して前記治療的血漿タンパク質投与レジメンを修正することと、
前記修正された治療的血漿タンパク質投与レジメンをクライアントデバイスに送信することと、
を行うように構成されている、ＰＫサーバと、
を含み、
前記薬物モニタリングツールは、
患者の前記薬物動態学的（ＰＫ）プロファイルを受信するように構成されているデータ受信機と、
前記患者の時間変化する治療的血漿タンパク質レベルを前記患者に表示するように構成されている対話的なユーザインターフェースであり、前記時間変化する治療的血漿タンパク質レベルが、凝固因子ＶＩＩＩの投与された用量及び前記患者の前記ＰＫプロファイルに基づいている、対話的なユーザインターフェースと、
を含む、薬物モニタリングシステム。
【図１】
0006860134.tif 000004
【図２】
0006860134.tif 000005
【図３】
0006860134.tif 000006
【図４】
0006860134.tif 000007
【図５】
0006860134.tif 000008